(57)【特許請求の範囲】
【請求項１】
各々が異なるドアに対応して設けられ当該ドアの開状態を許可する複数のドア開閉装置と、
識別情報が入力される複数の入力装置と、
前記識別情報と前記入力装置との組み合わせと１または複数の解錠対象のドア開閉装置との対応関係を記憶する記憶装置と、
前記入力装置に入力された前記識別情報と当該入力装置との組み合わせに対応して前記記憶装置に記憶されている前記解錠対象のドア開閉装置を解錠して、当該解錠対象のドア開閉装置に対応する前記ドアの開状態を許可する制御装置とを備え、
前記識別情報には、優先度が予め付与され、
前記制御装置は、前記入力装置に前記識別情報が入力されて前記解錠対象のドア開閉装置を解錠した後に前記入力装置に新たな識別情報が入力されたときに当該新たな識別情報が前回の識別情報よりも前記優先度が低い場合、前記新たな識別情報に対応して前記記憶装置に記憶されている前記解錠対象のドア開閉装置を解錠し、現在解錠中であって前記新たな識別情報に対応して解錠対象として前記記憶装置に記憶されていないドア開閉装置を施錠する
ことを特徴とするドア開閉制御システム。
【請求項２】
各々が異なるドアに対応して設けられ当該ドアの開状態を許可する複数のドア開閉装置と、
識別情報が入力される複数の入力装置と、
前記識別情報と前記入力装置との組み合わせと１または複数の解錠対象のドア開閉装置との対応関係を記憶する記憶装置と、
前記入力装置に入力された前記識別情報と当該入力装置との組み合わせに対応して前記記憶装置に記憶されている前記解錠対象のドア開閉装置を解錠して、当該解錠対象のドア開閉装置に対応する前記ドアの開状態を許可する制御装置とを備え、
前記制御装置は、予め決められた時間内に複数の前記識別情報が同一の前記入力装置に入力された場合、前記入力装置に入力された前記複数の識別情報の少なくともいずれかに対応して前記記憶装置に記憶されている前記解錠対象のドア開閉装置を抽出し、当該抽出した解錠対象のドア開閉装置を解錠する
ことを特徴とするドア開閉制御システム。
【請求項３】
各々が異なるドアに対応して設けられ当該ドアの開状態を許可する複数のドア開閉装置と、
識別情報が入力される複数の入力装置と、
前記識別情報と前記入力装置との組み合わせと１または複数の解錠対象のドア開閉装置との対応関係を記憶する記憶装置と、
前記入力装置に入力された前記識別情報と当該入力装置との組み合わせに対応して前記記憶装置に記憶されている前記解錠対象のドア開閉装置を解錠して、当該解錠対象のドア開閉装置に対応する前記ドアの開状態を許可する制御装置とを備え、
前記制御装置は、予め決められた時間内に複数の前記識別情報が同一の前記入力装置に入力された場合、前記入力装置に入力された前記複数の識別情報のすべてに対応して前記記憶装置に記憶されている前記解錠対象のドア開閉装置を抽出し、当該抽出した解錠対象のドア開閉装置を解錠する
ことを特徴とするドア開閉制御システム。
【請求項４】
前記記憶装置は、前記複数のドア開閉装置の各々に対して解錠から再施錠までの再施錠時間をそれぞれ記憶し、
前記制御装置は、前記解錠対象のドア開閉装置に対応して前記記憶装置に記憶されている前記再施錠時間を選択し、当該解錠対象のドア開閉装置を解錠してから当該選択した再施錠時間が経過すると、当該解錠対象のドア開閉装置を施錠する
ことを特徴とする請求項１〜３のいずれか１項に記載のドア開閉制御システム。
【請求項５】
前記記憶装置は、前記識別情報ごとに前記複数のドア開閉装置の各々に対して前記再施錠時間を記憶し、
前記制御装置は、前記入力装置に入力された前記識別情報と前記解錠対象のドア開閉装置との組み合わせに対応して前記記憶装置に記憶されている前記再施錠時間を選択し、当該解錠対象のドア開閉装置を解錠してから当該選択した再施錠時間が経過すると、当該解錠対象のドア開閉装置を施錠する
ことを特徴とする請求項４記載のドア開閉制御システム。
【請求項６】
前記記憶装置は、前記識別情報ごとに前記複数のドア開閉装置の解錠から再施錠までの再施錠時間を記憶し、
前記制御装置は、前記入力装置に入力された前記識別情報に対応して前記記憶装置に記憶されている前記再施錠時間を選択し、前記解錠対象のドア開閉装置を解錠してから当該選択した再施錠時間が経過すると、当該解錠対象のドア開閉装置を施錠する
ことを特徴とする請求項１〜３のいずれか１項に記載のドア開閉制御システム。
【請求項７】
各々が異なるドアに対応して設けられ当該ドアの開状態を許可する複数のドア開閉装置と、識別情報が入力される複数の入力装置とともに用いられるドア開閉制御装置であって、
前記識別情報と前記入力装置との組み合わせと１または複数の解錠対象のドア開閉装置との対応関係を記憶する記憶装置と、
前記入力装置に入力された前記識別情報と当該入力装置との組み合わせに対応して前記記憶装置に記憶されている前記解錠対象のドア開閉装置を解錠して、当該解錠対象のドア開閉装置に対応する前記ドアの開状態を許可する制御装置とを備え、
前記識別情報には、優先度が予め付与され、
前記制御装置は、前記入力装置に前記識別情報が入力されて前記解錠対象のドア開閉装置を解錠した後に前記入力装置に新たな識別情報が入力されたときに当該新たな識別情報が前回の識別情報よりも前記優先度が低い場合、前記新たな識別情報に対応して前記記憶装置に記憶されている前記解錠対象のドア開閉装置を解錠し、現在解錠中であって前記新たな識別情報に対応して解錠対象として前記記憶装置に記憶されていないドア開閉装置を施錠する
ことを特徴とするドア開閉制御装置。
【発明の詳細な説明】
【技術分野】
【０００１】
本発明は、各々が異なるドアに対応して設けられた複数のドア開閉装置の解錠を制御するドア開閉制御システムおよびドア開閉制御装置に関する。
【背景技術】
【０００２】
従来から、ドアに設けられたドア開閉装置を構成する電気錠の解錠を制御する電気錠システムが種々知られている。この電気錠システムは、予め登録されている認証カードなどで個人認証を行い、認証結果に応じて電気錠を解錠する。
【０００３】
ところで、上記のような電気錠システムは、複数の電気錠を解錠する場合、電気錠ごとに逐一認証カードを用いて個人認証して電気錠を解錠するため、電気錠ごとに逐一認証カードを用いて個人認証させるための行為が利用者にとって煩雑であるという問題があった。
【０００４】
上記問題を解決する手段として、１回の情報を読み取って認証することによって２以上の電気錠を解錠することができる電気錠制御装置が知られている（例えば特許文献１参照）。特許文献１に記載された電気錠制御装置は、入力情報に応じて複数の電気錠の中から解錠対象の電気錠を決定する。つまり、引用文献１に記載された電気錠制御装置では、入力情報ごとに解錠対象の電気錠が異なるようにすることができる。
【先行技術文献】
【特許文献】
【０００５】
【特許文献１】特開平５−３２１５２４号公報
【発明の概要】
【発明が解決しようとする課題】
【０００６】
しかしながら、特許文献１に記載された電気錠制御装置を用いたシステムでは、入力情報を読み取って認証する電気錠制御装置が１台しか存在しないため、利用者のいる場所ごとに解錠対象の電気錠を変えるという要望に対応することができなかった。
【０００７】
特許文献１に記載された電気錠制御装置を用いたシステムでは、例えば複数個所の入口を持つ建物において、利用者が正面玄関の前にいる場合も、正面玄関とは異なる通用口の前にいる場合も、同じ電気錠が解錠対象の電気錠として決定されてしまう。これにより、両方の場合において不都合なく電気錠を解錠しなければならなくなるため、一方の場合にとっては必要であるが他方の場合にとっては不要な電気錠が解錠対象に含まれることになり、保安性（セキュリティ性）に問題があった。例えば利用者が正面玄関の前にいる場合に、正面玄関の電気錠だけでなく、通用口の電気錠も解錠されることになる。
【０００８】
本発明は上記の点に鑑みて為され、本発明の目的は、余分なドア開閉装置を解錠しないようにすることで保安性を高めることができるドア開閉制御システムおよびドア開閉制御装置を提供することにある。
【課題を解決するための手段】
【０００９】
本発明のドア開閉制御システムは、各々が異なるドアに対応して設けられ当該ドアの開状態を許可する複数のドア開閉装置と、識別情報が入力される複数の入力装置と、前記識別情報と前記入力装置との組み合わせと１または複数の解錠対象のドア開閉装置との対応関係を記憶する記憶装置と、前記入力装置に入力された前記識別情報と当該入力装置との組み合わせに対応して前記記憶装置に記憶されている前記解錠対象のドア開閉装置を解錠して、当該解錠対象のドア開閉装置に対応する前記ドアの開状態を許可する制御装置とを備える。
そして、請求項１記載のドア開閉制御システムにおいては、前記識別情報には、優先度が予め付与され、前記制御装置は、前記入力装置に前記識別情報が入力されて前記解錠対象のドア開閉装置を解錠した後に前記入力装置に新たな識別情報が入力されたときに当該新たな識別情報が前回の識別情報よりも前記優先度が低い場合、前記新たな識別情報に対応して前記記憶装置に記憶されている前記解錠対象のドア開閉装置を解錠し、現在解錠中であって前記新たな識別情報に対応して解錠対象として前記記憶装置に記憶されていないドア開閉装置を施錠することを特徴とする。
また、請求項２記載のドア開閉制御システムにおいて、前記制御装置は、予め決められた時間内に複数の前記識別情報が同一の前記入力装置に入力された場合、前記入力装置に入力された前記複数の識別情報の少なくともいずれかに対応して前記記憶装置に記憶されている前記解錠対象のドア開閉装置を抽出し、当該抽出した解錠対象のドア開閉装置を解錠することを特徴とする。
また、請求項３記載のドア開閉制御システムにおいて、前記制御装置は、予め決められた時間内に複数の前記識別情報が同一の前記入力装置に入力された場合、前記入力装置に入力された前記複数の識別情報のすべてに対応して前記記憶装置に記憶されている前記解錠対象のドア開閉装置を抽出し、当該抽出した解錠対象のドア開閉装置を解錠することを特徴とする。
【００１０】
このドア開閉制御システムにおいて、前記記憶装置は、前記複数のドア開閉装置の各々に対して解錠から再施錠までの再施錠時間をそれぞれ記憶し、前記制御装置は、前記解錠対象のドア開閉装置に対応して前記記憶装置に記憶されている前記再施錠時間を選択し、当該解錠対象のドア開閉装置を解錠してから当該選択した再施錠時間が経過すると、当該解錠対象のドア開閉装置を施錠することが好ましい。
【００１１】
このドア開閉制御システムにおいて、前記記憶装置は、前記識別情報ごとに前記複数のドア開閉装置の各々に対して前記再施錠時間を記憶し、前記制御装置は、前記入力装置に入力された前記識別情報と前記解錠対象のドア開閉装置との組み合わせに対応して前記記憶装置に記憶されている前記再施錠時間を選択し、当該解錠対象のドア開閉装置を解錠してから当該選択した再施錠時間が経過すると、当該解錠対象のドア開閉装置を施錠することが好ましい。
【００１２】
このドア開閉制御システムにおいて、前記記憶装置は、前記識別情報ごとに前記複数のドア開閉装置の解錠から再施錠までの再施錠時間を記憶し、前記制御装置は、前記入力装置に入力された前記識別情報に対応して前記記憶装置に記憶されている前記再施錠時間を選択し、前記解錠対象のドア開閉装置を解錠してから当該選択した再施錠時間が経過すると、当該解錠対象のドア開閉装置を施錠することが好ましい。
【００１６】
本発明のドア開閉制御装置は、各々が異なるドアに対応して設けられ当該ドアの開状態を許可する複数のドア開閉装置と、識別情報が入力される複数の入力装置とともに用いられるドア開閉制御装置であって、前記識別情報と前記入力装置との組み合わせと１または複数の解錠対象のドア開閉装置との対応関係を記憶する記憶装置と、前記入力装置に入力された前記識別情報と当該入力装置との組み合わせに対応して前記記憶装置に記憶されている前記解錠対象のドア開閉装置を解錠して、当該解錠対象のドア開閉装置に対応する前記ドアの開状態を許可する制御装置とを備え、前記識別情報には、優先度が予め付与され、前記制御装置は、前記入力装置に前記識別情報が入力されて前記解錠対象のドア開閉装置を解錠した後に前記入力装置に新たな識別情報が入力されたときに当該新たな識別情報が前回の識別情報よりも前記優先度が低い場合、前記新たな識別情報に対応して前記記憶装置に記憶されている前記解錠対象のドア開閉装置を解錠し、現在解錠中であって前記新たな識別情報に対応して解錠対象として前記記憶装置に記憶されていないドア開閉装置を施錠することを特徴とする。
【発明の効果】
【００１７】
本発明によれば、利用者が識別情報を入力装置に入力すると、入力した識別情報に対応するドア開閉装置を一度に複数解錠させることができる。これにより、セキュリティ性を高めた状態を維持しながら、利用者は目的の場所にたどり着くまでに、通過するドアごとに識別情報の入力を繰り返さないですむことができる。
【００１８】
また、本発明によれば、識別情報と入力装置との組み合わせごとに解錠対象のドア開閉装置を変えることができる。これにより、例えば複数個所の入口を持つ建物において目的場所までの経路が複数考えられる場合に、余分な経路上のドア開閉装置を解錠しないようにすることができるので、保安性を高めることができる。
【図面の簡単な説明】
【００１９】
【図１】実施形態に係るドア開閉制御システムの構成を示すブロック図である。
【図２】同上に係るドア開閉制御システムが用いられる建物を示す概略図である。
【図３】同上に係るドア開閉制御システムで用いられる対応テーブルを示す図である。
【図４】同上に係るドア開閉制御システムの動作を示すフローチャートである。
【図５】同上に係るドア開閉制御システムの動作を示すフローチャートである。
【図６】同上に係るドア開閉制御システムの動作を示すフローチャートである。
【図７】実施形態の変形例に係るドア開閉制御システムの構成を示すブロック図である。
【発明を実施するための形態】
【００２０】
以下の実施形態では、各々が異なるドアに対応して設けられた複数のドア開閉装置の解錠を制御するドア開閉制御システムおよびドア開閉制御装置について説明する。
【００２１】
本実施形態に係るドア開閉制御システムは、図１に示すように、各々が異なるドアに対応して設けられた複数台のドア開閉装置１と、個人識別情報（キーＩＤ）が入力される複数台の入力装置２と、各ドア開閉装置１の解錠および施錠を制御するドア開閉制御装置３とを備えている。
【００２２】
図１に示す各認証カード６は、例えば非接触カードキーであり、個人識別情報として固有の識別情報を有している。個人識別情報は、利用者の種別を示す種別情報（例えば「役員」、「責任者」、「社員」など）を含んでいる。上記種別情報ごとに、解錠権限が与えられている。各利用者は、解錠権限が与えられたドア開閉装置１を解錠するために、それぞれ異なる個人識別情報が割り当てられた認証カード６を所持する。なお、各認証カード６は、各入力装置２から電源供給されるパッシブ型であっても、駆動電源が内蔵されているアクティブ型であってもよい。
【００２３】
各ドア開閉装置１は、電気錠１０１と、電気錠１０１を制御するドア制御部１０２と、制御装置５と通信する通信部１０３とを備えている。通信部１０３は、後述の解錠信号および施錠信号を制御装置５から受信する。ドア制御部１０２は、通信部１０３で受信された解錠信号の内容に従って電気錠１０１を解錠する。ドア制御部１０２は、通信部１０３で受信された施錠信号の内容に従って電気錠１０１を施錠する。電気錠１０１は、ドア制御部１０２の制御に従って開閉する。
【００２４】
各ドア開閉装置１が設置される建物として、図２に、第１のオフィス７１と、第２のオフィス７２と、倉庫７３と、役員室７４と、応接室７５と、貴重品倉庫７６とが設けられた例を示す。正面玄関（第１のドア８１）および通用口（第８のドア８８）と各部屋７１〜７６（役員室７４を除く）との間には、廊下７７が設けられている。
【００２５】
上記の建物において、屋外スペース７８と廊下７７との間の第１のドア８１つまり正面玄関には、第１のドア開閉装置１１が設置されている。利用者は、屋外スペース７８から廊下７７に入る場合、ドア開閉制御装置３に第１のドア開閉装置１１を解錠させて第１のドア８１の開状態を許可させるための行為が必要である。一方、廊下７７から屋外スペース７８へ出る場合、利用者は第１のドア８１を自由に開けることができる。屋外スペース７８と廊下７７との間の第８のドア８８つまり通用口には、第８のドア開閉装置１８が設置されている。利用者は、屋外スペース７８から廊下７７に入る場合、ドア開閉制御装置３に第８のドア開閉装置１８を解錠させて第８のドア８８の開状態を許可させるための行為が必要である。一方、廊下７７から屋外スペース７８へ出る場合、利用者は第８のドア８８を自由に開けることができる。
【００２６】
応接室７５と廊下７７との間の第２のドア８２には、第２のドア開閉装置１２が設置されている。利用者は、廊下７７から応接室７５に入る場合、ドア開閉制御装置３に第２のドア開閉装置１２を解錠させて第２のドア８２の開状態を許可させるための行為が必要である。一方、応接室７５から廊下７７へ出る場合、利用者は第２のドア８２を自由に開けることができる。第２のオフィス７２と廊下７７との間の第３のドア８３には、第３のドア開閉装置１３が設置されている。利用者は、廊下７７から第２のオフィス７２に入る場合、ドア開閉制御装置３に第３のドア開閉装置１３を解錠させて第３のドア８３の開状態を許可させるための行為が必要である。一方、第２のオフィス７２から廊下７７へ出る場合、利用者は第３のドア８３を自由に開けることができる。第１のオフィス７１と廊下７７との間の第４のドア８４には、第４のドア開閉装置１４が設置されている。利用者は、廊下７７から第１のオフィス７１に入る場合、ドア開閉制御装置３に第４のドア開閉装置１４を解錠させて第４のドア８４の開状態を許可させるための行為が必要である。一方、第１のオフィス７１から廊下７７へ出る場合、利用者は第４のドア８４を自由に開けることができる。倉庫７３と廊下７７との間の第７のドア８７には、第７のドア開閉装置１７が設置されている。利用者は、廊下７７から倉庫７３に入る場合、ドア開閉制御装置３に第７のドア開閉装置１７を解錠させて第７のドア８７の開状態を許可させるための行為が必要である。一方、倉庫７３から廊下７７へ出る場合、利用者は第７のドア８７を自由に開けることができる。貴重品倉庫７６と廊下７７との間の第６のドア８６には、第６のドア開閉装置１６が設置されている。利用者は、廊下７７から貴重品倉庫７６に入る場合、ドア開閉制御装置３に第６のドア開閉装置１６を解錠させて第６のドア８６の開状態を許可させるための行為が必要である。一方、貴重品倉庫７６から廊下７７へ出る場合、利用者は第６のドア８６を自由に開けることができる。役員室７４と第１のオフィス７１との間の第５のドア８５には、第５のドア開閉装置１５が設置されている。利用者は、第１のオフィス７１から役員室７４に入る場合、ドア開閉制御装置３に第５のドア開閉装置１５を解錠させて第５のドア８５の開状態を許可させるための行為が必要である。一方、役員室７４から第１のオフィス７１へ出る場合、利用者は第５のドア８５を自由に開けることができる。
【００２７】
各入力装置２は、非接触カードである認証カード６の個人識別情報を読み取る非接触カードリーダであり、それぞれ異なるドア８１〜８８ごとに設置されている。つまり、各入力装置２は、それぞれ異なるドア開閉装置１に対応して設置されている。各入力装置２は、図１に示すように、入力部２０１と、通信部２０２とを備えている。各入力装置２には、それぞれ個別の入力装置用識別情報が割り当てられている。入力部２０１は、認証カード６から個人識別情報を読み取る。通信部２０２は、入力部２０１で読み取られた個人識別情報を後述の制御装置５に送信する。
【００２８】
図２に示すように、第１の入力装置２１は、第１のドア８１の屋外スペース７８側に設置され、利用者が屋外スペース７８から廊下７７に入る場合に認証カード６から個人識別情報を読み取る。第２の入力装置２２は、第２のドア８２の廊下７７側に設置され、利用者が廊下７７から応接室７５に入る場合に認証カード６から個人識別情報を読み取る。第３の入力装置２３は、第３のドア８３の廊下７７側に設置され、利用者が廊下７７から第２のオフィス７２に入る場合に認証カード６から個人識別情報を読み取る。第４の入力装置２４は、第４のドア８４の廊下７７側に設置され、利用者が廊下７７から第１のオフィス７１に入る場合に認証カード６から個人識別情報を読み取る。第５の入力装置２５は、第５のドア８５の第１のオフィス７１側に設置され、利用者が第１のオフィス７１から役員室７４に入る場合に認証カード６から個人識別情報を読み取る。第６の入力装置２６は、第６のドア８６の廊下７７側に設置され、利用者が廊下７７から貴重品倉庫７６に入る場合に認証カード６から個人識別情報を読み取る。第７の入力装置２７は、第７のドア８７の廊下７７側に設置され、利用者が廊下７７から倉庫７３に入る場合に認証カード６から個人識別情報を読み取る。第８の入力装置２８は、第８のドア８８の屋外スペース７８側に設置され、利用者が屋外スペース７８から廊下７７に入る場合に認証カード６から個人識別情報を読み取る。
【００２９】
図１に示すドア開閉制御装置３は、例えばＣＰＵ（Central Processing Unit：中央処理装置）とメモリとを有するソフトウェア組み込み機器などであり、解錠対象のドア開閉装置１が設定された対応テーブルを記憶する記憶装置４と、対応テーブルを用いて各ドア開閉装置１を制御する制御装置５とを備えている。
【００３０】
記憶装置４には、図３に示すような対応テーブルが予め記憶されている。図３に示す対応テーブルでは、個人識別情報に含まれている種別情報（図３の「役員」、「責任者」、「社員」）と上記個人識別情報を読み取った入力装置２との組み合わせごとに、１または複数の解錠対象のドア開閉装置１が設定されている。図３の左端列は、入力装置２を示す。「Ｓｎ」（ｎ＝１〜８）は第ｎの入力装置２ｎである（例えば、「Ｓ１」は第１の入力装置２１であり、「Ｓ２」は第２の入力装置２２である）。図３の左から２列目は利用者の種別情報を示す。図３の最上段は、ドア開閉装置１を示す。「Ｄｎ」（ｎ＝１〜８）は第ｎのドア開閉装置１ｎである（例えば、「Ｄ１」は第１のドア開閉装置１１であり、「Ｄ２」は第２のドア開閉装置１２である）。左から３列目から１０列目の数字は、ドア開閉装置１が解錠されてから再施錠されるまでの再施錠時間（単位は［分］）を示す。なお、図３の空欄は、解錠制御されないことを意味する。
【００３１】
利用者の種別情報ごとに、異なる優先度の解錠権限が与えられている。図３の例では、「役員」、「責任者」、「社員」の順に解錠権限の優先度が高い。例えば第４の入力装置２４（図３の「Ｓ４」）において「役員」の個人識別情報が読み取られた場合、第４のドア開閉装置１４（図３の「Ｄ４」）と第５のドア開閉装置１５（図３の「Ｄ５」）が解錠対象であって、解錠から１０分間は解錠の状態が維持されることを意味する。また、第４の入力装置２４において「社員」の個人識別情報が読み取られた場合、第４のドア開閉装置１４のみが解錠対象であることを意味する。
【００３２】
図１に示す制御装置５は、通信部５０１と、認証部５０２と、処理部５０３と、再施錠用タイマ５０４と、連続認証用タイマ５０５とを備えている。
【００３３】
通信部５０１は、複数のドア開閉装置１および複数の入力装置２と通信する。通信部５０１は、各入力装置２から個人識別情報と入力装置用識別情報とを受信する。通信部５０１は、例えば接続ポートなどによって、通信相手となる入力装置２を一意に識別することができ、入力装置２の入力装置用識別情報として認証部５０２および処理部５０３に出力する。
【００３４】
認証部５０２は、通信部５０１で受信された個人識別情報を解析して個人認証する。認証部５０２による認証結果は処理部５０３に出力される。認証結果には、個人識別情報と、この個人識別情報を読み取った入力装置２の入力装置用識別情報とが含まれている。
【００３５】
処理部５０３は、認証結果に含まれている個人識別情報と入力装置用識別情報との組み合わせに対応する解錠対象のドア開閉装置１を対応テーブル（図３参照）から選択する。解錠対象のドア開閉装置１を選択した処理部５０３は、上記解錠対象のドア開閉装置１を解錠するために、通信部５０１を制御して解錠対象のドア開閉装置１に解錠信号を送信させる。
【００３６】
処理部５０３は、解錠対象のドア開閉装置１を解錠してから再施錠時間が経過すると、解錠中のドア開閉装置１を施錠する。処理部５０３は、各ドア開閉装置１に解錠信号を送信したら、今回の解錠に用いた個人識別情報をキーとして再施錠時間を記憶装置４から検索する。処理部５０３は、検索の結果、得られた再施錠時間を、再施錠用タイマ５０４を用いてカウントする。
【００３７】
再施錠用タイマ５０４は、処理部５０３の処理に応じて、ドア開閉装置１ごとに解錠状態になってから再施錠までの経過時間を計測する。再施錠時間は、認証を実施した利用者が所定のドアを通過するのに十分な時間的余裕と、それ以外の人物が認証行為なしでドアを通過する可能性の抑制とを想定した時間（図３参照）である。再施錠用タイマ５０４は、処理部５０３からの指示に応じて、カウントを開始したり、カウンタ値を変更したりする。再施錠用タイマ５０４は、カウンタが０になると、カウンタが０になった旨を処理部５０３に通知する。
【００３８】
再施錠用タイマ５０４によって再施錠時間が計測されると、処理部５０３は、再施錠用タイマ５０４からカウンタが０になった旨の通知を受け取る。その後、処理部５０３は、今回の解錠に用いた個人識別情報に対応する解錠対象のドア開閉装置１に施錠信号を送信し、ドア開閉装置１は施錠状態になる。これにより、利用者が各ドア開閉装置１を手動で施錠する必要がないので、高いセキュリティ性を保つことができる。
【００３９】
なお、ドア開閉制御システムは、ドア開閉装置１ごとに再施錠時間を計測する再施錠用タイマ５０４を備え、この再施錠用タイマ５０４を制御装置５ではなくドア開閉装置１に設けてもよい。この場合、制御装置５は、ドア開閉装置１に解錠信号を送信する際に、再施錠時間の情報を併せて送信する。各ドア開閉装置１は、自己に設けられた再施錠用タイマ５０４を用いて再施錠時間を計測し、再施錠時間が経過すると、電気錠１０１を施錠する。
【００４０】
ところで、本実施形態の処理部５０３は、予め決められた時間内に複数の個人識別情報が同一の入力装置２に入力された場合、入力装置２に入力された複数の個人識別情報の少なくともいずれかに対応して記憶装置４に記憶されている解錠対象のドア開閉装置１を解錠する。
【００４１】
処理部５０３は、入力装置２から個人識別情報を受信した場合、上記入力装置２の入力装置用識別情報に対応する連続認証用タイマ５０５が起動しているか否かを確認する。上記連続認証用タイマ５０５が起動していない場合、処理部５０３は、上記連続認証用タイマ５０５を起動し、上記入力装置２から受信した個人識別情報を、上記入力装置２に対応したグループメンバー候補（連続認証対象ＩＤ）として保存する。一方、上記連続認証用タイマ５０５が既に起動している場合、処理部５０３は、上記入力装置２に対応したグループメンバー候補として、上記入力装置２から受信した個人識別情報を追加保存する。
【００４２】
連続認証用タイマ５０５は、処理部５０３の処理に応じて、各入力装置２に対応付けられたグループ認証時間を計測する。グループ認証時間は、同一の入力装置２において、同一グループとして認識される複数の利用者が次々と認証行為を行うことを想定した時間（例えば５秒間、１０秒間など）である。つまり、ある個人識別情報が入力されてから次の個人識別情報が入力されるまでの時間（グループ認証間隔）がグループ認証時間より短い場合に、これらの個人識別情報を同一グループとみなす。連続認証用タイマ５０５は、処理部５０３からの指示に応じて、カウントを開始したり、カウンタ値を変更したりする。連続認証用タイマ５０５は、カウンタが０になると、カウンタが０になった旨を処理部５０３に通知する。
【００４３】
処理部５０３は、連続認証用タイマ５０５からカウンタが０になった旨の通知を受け取る。つまり、処理部５０３は、現在起動中の連続認証用タイマ５０５のうち、予め定められたグループ認証時間が経過した連続認証用タイマ５０５があるか否かを確認する。グループ認証時間が経過した連続認証用タイマ５０５がある場合、処理部５０３は、上記連続認証用タイマ５０５に対応付けられた入力装置２に対応するグループメンバーが確定したと判断する。その後、処理部５０３は、確定したグループメンバーの各個人識別情報と入力装置２の入力装置用識別情報とをキーとして、各個人識別情報に対応して記憶装置４に記憶されている解錠対象のドア開閉装置１の集合（論理和）を求める。論理和を求めた処理部５０３は、求めた論理和に含まれる解錠対象のドア開閉装置１に対し、通信部５０１を通じて解錠信号を送信する。
【００４４】
また、本実施形態の処理部５０３は、解錠対象のドア開閉装置１を解錠した後に新たな個人識別情報が入力装置２に入力されたときに新たな個人識別情報が前回の個人識別情報よりも優先度が低い場合、新たな個人識別情報に対応して記憶装置４に記憶されている解錠対象のドア開閉装置１を解錠する。一方、処理部５０３は、現在解錠中であるが新たな個人識別情報に対応していないドア開閉装置１を施錠する。個人識別情報の種別情報に与えられた解錠権限の優先度については、記憶装置４に予め記憶されている。
【００４５】
処理部５０３は、再施錠用タイマ５０４による再施錠時間のカウント中に、別の個人識別情報の入力によってドア開閉装置１を解錠する場合、これから解錠しようとする個人識別情報の種別情報に与えられた解錠権限の優先度と、現在の再施錠時間のカウントの元となった個人識別情報の種別情報に与えられた解錠権限の優先度とを比較し、どちらの優先度が高いかを判断する。
【００４６】
これから解錠しようとする個人識別情報の解錠権限の優先度が高いまたは同じ場合、処理部５０３は、これから解錠しようとする個人識別情報に対応したドア開閉装置１に、通信部５０１を通じて解錠情報を送信する。もし、それらのドア開閉装置１のうち、再施錠時間のカウント中のものがある場合には、改めて解錠信号を送信してもよいし、再施錠時間のカウントを初期化してもよい。
【００４７】
一方、再施錠時間のカウントの元となった個人識別情報の解錠権限の優先度が高い場合、処理部５０３は、これから解錠しようとする個人識別情報に対応したドア開閉装置１に通信部５０１を通じて解錠信号を送信すると同時に、再施錠用タイマ５０４による再施錠時間のカウントを開始させる。また、現在、再施錠時間のカウント中のドア開閉装置１のうち、今回の個人識別情報に基づいて解錠するドア開閉装置１以外のドア開閉装置１については、処理部５０３は、通信部５０１を通じて施錠信号を送信する。
【００４８】
なお、複数の個人識別情報に対して、予め定められた一定の基準に従ってグループとしての解錠権限の優先度を付与する。例えば、そのグループに含まれる各個人識別情報が持つ種別情報の解錠権限のうち、最も高い優先度を持つ解錠権限をそのグループの解錠権限として付与する。
【００４９】
次に、本実施形態に係るドア開閉制御システムの動作について図４〜６を用いて説明する。
【００５０】
まず、制御装置５は、キーリーダー番号（入力装置用識別情報）と入力装置２に入力されたキーＩＤ（個人識別情報）とを入力装置２から受信する（図４のＳ１）。現在、連続認証待ち状態である場合（Ｓ２）、連続認証用タイマ５０５が計測を開始する（Ｓ３）。その後、制御装置５は、連続認証対象ＩＤリストに、受信したキーＩＤを追加する（Ｓ４）。
【００５１】
一方、ステップＳ２において、現在、連続認証待ち状態ではない場合、制御装置５は、連続認証対象ＩＤリストに、受信したＩＤを追加する（Ｓ４）。
【００５２】
その後、連続認証用タイマ５０５がタイムアップしたときに（図５のＳ１１）、制御装置５は、連続認証対象ＩＤリストに含まれているキーＩＤごとに、記憶装置４に問い合わせて解錠対象のドア開閉装置１を選び出す（Ｓ１２）。制御装置５は、連続認証対象ＩＤのキーＩＤの中から最上位の優先度を持つ解錠権限のキーＩＤを求める（Ｓ１３）。その後、制御装置５は、キーＩＤごとに選び出したドア開閉装置１の論理和となるリスト（ドア開閉装置１のリスト）を生成する（Ｓ１４）。制御装置５は、今回の解錠権限の優先度とこれまでの解錠権限の優先度とを比較する（Ｓ１５）。今回の解錠権限の優先度がこれまでの解錠権限の優先度より高い場合、または解錠権限が未設定である場合、制御装置５は、今回の解錠権限をドア開閉装置１の解錠権限として設定し（Ｓ１６）、ドア開閉装置１に対応する再施錠用タイマ５０４を再設定する（Ｓ１７）。制御装置５は、解錠対象のドア開閉装置１に解錠信号を送信する（Ｓ１８）。今回の解錠権限の優先度とこれまでの解錠権限の優先度とが同じである場合、制御装置５は、ドア開閉装置１に対応する再施錠用タイマ５０４を再設定する（Ｓ１９）。今回の解錠権限の優先度がこれまでの解錠権限の優先度より低い場合、制御装置５は、解錠中のドア開閉装置１のうち、論理和リストに含まれていないドア開閉装置１に対応する再施錠用タイマ５０４のカウンタを０にする（Ｓ２０）。
【００５３】
再施錠用タイマ５０４がタイムアップした場合（図６のＳ３１）、制御装置５は、ドア開閉装置１の解錠権限を消去する（Ｓ３２）。その後、制御装置５は、解錠しているドア開閉装置１に施錠信号を送信する（Ｓ３３）。施錠信号を受け取ったドア開閉装置１は、電気錠１０１を施錠する。
【００５４】
次に、本実施形態に係るドア開閉制御システムの使用例について図２を用いて説明する。図２に示す建物に勤務する人は、役員、第１のオフィス７１に勤務する社員および責任者、第２のオフィス７２に勤務する社員および責任者のいずれかとする。ドア開閉制御システムにおける種別情報としては、「役員」、「責任者」、「社員」の３種類を定義する。「役員」、「責任者」、「社員」の順に高い優先度の解錠権限が設定される。各人は、それぞれの自己の役職に応じた解錠権限の個人識別情報を持つ認証カード６を所持する。役員は第１の認証カード６１を所持し、責任者は第２の認証カード６２を所持し、社員は第３の認証カード６３を所持する。
【００５５】
まず、役員が正面玄関から出社した後に社員が出社する場合について説明する。ここでは、グループ認証時間を４分間とする。朝、役員が第１の入力装置２１でカード認証を実施する。対応テーブル（図３参照）に従い、第１，３〜７のドア開閉装置１１，１３〜１７が解錠される。また、第１，３〜７のドア開閉装置１１，１３〜１７に対応した再施錠用タイマ５０４が設定される。
【００５６】
３分後に、社員が出社し、第１の入力装置２１でカード認証を実施する。この時点では、第１のドア開閉装置１１のみが再施錠済みである。制御装置５から第１のドア開閉装置１１のみに解錠信号が送信される。第３，４，７のドア開閉装置１３，１４，１７の再施錠タイマ５０４は再設定されて再カウントを行う。ただし、第５，６のドア開閉装置１５，１６の再施錠用タイマ５０４はカウントを継続したままである。
【００５７】
社員が出社してから１分後、第１のドア開閉装置１１が再施錠される。第１のドア開閉装置１１が再施錠されてから１分後、第６のドア開閉装置１６が再施錠される。第６のドア開閉装置１６が再施錠されてから３分後、第３，４，７のドア開閉装置１３，１４，１７が再施錠される。さらに２分後（役員が出社してから１０分後）、第５のドア開閉装置１５が再施錠される。
【００５８】
続いて、役員が正面玄関から出社した後に社員が出社する場合であって、グループ認証時間を５秒間としたときについて説明する。朝、役員が第１の入力装置２１でカード認証を実施する。対応テーブル（図３参照）に従い、第１，３〜７のドア開閉装置１１，１３〜１７が解錠される。また、第１，３〜７のドア開閉装置１１，１３〜１７に対応した再施錠用タイマ５０４が設定される。なお、役員の認証後、グループ認証時間である５秒間にカード認証はなかったものとする。
【００５９】
３分後に、社員が出社し、第１の入力装置２１でカード認証を実施する。この時点では、第１のドア開閉装置１１のみが再施錠済みである。社員の解錠権限は役員の解錠権限より優先度が低いため、制御装置５から第１のドア開閉装置１１のみに解錠信号が送信され、制御装置５から第５，６のドア開閉装置１５，１６に施錠信号が送信される。第３，４，７のドア開閉装置１３，１４，１７の再施錠タイマ５０４は再設定されて再カウントを行う。
【００６０】
社員が出社してから１分後、第１のドア開閉装置１１が再施錠される。第１のドア開閉装置１１が再施錠されてから４分後、第３，４，７のドア開閉装置１３，１４，１７が再施錠される。
【００６１】
続いて、社員と役員とが同時に正面玄関から出社する場合について説明する。社員と役員とが一緒に第１の入力装置２１でカード認証を実施する。まず、社員がカード認証する。制御装置５が連続認証用タイマ５０５をカウントしている間に、役員がカード認証する。５秒が経過すると、制御装置５は、解錠処理に従って社員と役員の双方の論理和である解錠対象の第１，３〜７のドア開閉装置１１，１３〜１７に解錠信号を送信する。
【００６２】
以上、本実施形態のドア開閉制御システムによれば、利用者が個人識別情報を入力装置２に入力すると、入力した個人識別情報に対応する複数のドア開閉装置１が一度に解錠する。これにより、ドア開閉制御システムのセキュリティ性を高めた状態を維持しながら、利用者は目的の場所にたどり着くまでに、通過するドアごとに個人識別情報の入力を繰り返さないですむことができる。
【００６３】
また、本実施形態のドア開閉制御システムによれば、個人識別情報と入力装置２との組み合わせごとに解錠対象のドア開閉装置１を変えることができる。これにより、本実施形態のドア開閉制御システムでは、例えば複数個所の入口を持つ建物において目的場所までの経路が複数考えられる場合に、他の経路上の余分なドア開閉装置１を解錠しないようにすることができるので、保安性を高めることができる。
【００６４】
本実施形態のドア開閉制御システムによれば、ドア開閉装置１ごとに再施錠時間を個別に設定し、各ドア開閉装置１の解錠から再施錠時間が経過すると施錠することができる。これにより、例えばあるドアを経由することで到達できる区域の保安性を高める必要がある場合に、ドア開閉装置１の再施錠時間を短時間に設定することで、保安性を高めることができる。
【００６５】
ところで、所定時間の経過後にドアを再施錠することには、ドア開閉装置１の解錠状態を一定時間で止めることで建物内の保安性を確保することと、目的の区域に到達するまでか、あるいは目的の区域で用事を済ませ、退出するまでの間、必要なドア開閉装置１が解錠することの利便性を図ることとを両立させる目的がある。
【００６６】
本実施形態のドア開閉制御システムによれば、利用者に付与する個人識別情報の単位で再施錠までの時間を設定することができるから、個人識別情報を与える利用者に適した再施錠時間を設定することで上記の目的を達成することができる。
【００６７】
本実施形態のドア開閉制御システムによれば、低い優先度の解錠権限を持つ利用者が高い優先度の解錠権限を持つ利用者の後に続けて通過する場合、低い優先度の解錠権限を持つ利用者が本来入れないはずの区域に入ることを防ぐことができるので、セキュリティ性を高めることができる。
【００６８】
本実施形態のドア開閉制御システムでは、複数の個人識別情報が同一の入力装置２に入力された場合に、個人識別情報に対応する解錠対象のドア開閉装置１の論理和を求めてから解錠対象のドア開閉装置１に解錠信号を送信する。これにより、複数の利用者の解錠範囲が重複しても、利用者ごとに解錠対象のドア開閉装置１のすべてに解錠信号を送信する場合に比べて、通信リソースの無駄を低減することができる。
【００６９】
なお、ドア開閉制御システムは、複数の個人識別情報が同一の入力装置２に入力された場合、個人識別情報に対応する複数の解錠対象のドア開閉装置１の論理和ではなく、上記複数の解錠対象のドア開閉装置１の論理積を求めてから解錠対象のドア開閉装置１に解錠信号を送信してもよい。つまり、制御装置５は、予め決められた時間内に複数の個人識別情報が同一の入力装置２に入力された場合、入力装置２に入力された複数の個人識別情報のすべてに対応して記憶装置４に記憶されている解錠対象のドア開閉装置１を抽出する。解錠対象のドア開閉装置１を抽出した制御装置５は、上記解錠対象のドア開閉装置１を解錠するために、解錠対象のドア開閉装置１に解錠信号を送信する。
【００７０】
記憶装置４に記憶される対応テーブルは、すべてのドア開閉装置１の再施錠時間を一定にした状態で、個人識別情報ごとに解錠対象のドア開閉装置１が設定されていてもよい。
【００７１】
連続認証用タイマ５０５は、制御装置５に設けられているのではなく、各入力装置２に設けられていてもよい。この場合、各入力装置２は、グループ認証時間内に受け付けた複数の個人識別情報を同一グループとみなして制御装置５に送信する。
【００７２】
本実施形態のドア開閉制御システムにおいて、解錠対象のドア開閉装置１を解錠してから再施錠するまでの再施錠時間を計測する構成は必須の構成ではない。また、予め決められた時間内に複数の個人識別情報が入力されたときに、いずれかの個人識別情報に対応する解錠対象のドア開閉装置１をすべて解錠する構成は必須の構成ではない。この場合、ドア開閉制御装置３の制御装置５は、図７に示すように、再施錠用タイマ５０４および連続認証用タイマ５０５を備えていなくてもよい。
【００７３】
本実施形態では、制御装置５が入力装置２の入力装置用識別情報を把握する手段として、制御装置５の通信部５０１が一意で識別することができるような構成であるが、本実施形態の変形例として、施工者が設定手段（図示せず）などで入力装置２の入力装置用識別情報を制御装置５に予め個別に設定してもよい。この場合、個人識別情報が入力された入力装置２は、制御装置５に個人識別情報を送信する際に、自己の入力装置用識別情報を併せて送信する。
【００７４】
ドア開閉制御システムは、個人認証手段として、個人識別情報を有する認証カード６を用いた認証ではなく、利用者の顔や指紋を用いた顔認証や指紋認証などを採用してもよい。
【００７５】
ドア開閉装置１は、電気錠１０１を用いる構成に限定されず、自動ドアのようなドアを施解錠する装置であってもよい。つまり、取っ手がなく、閉まったら利用者が手動で開けることができないドアを施解錠する。
【００７６】
本実施形態では会社を例に出して説明しているが、必ずしも会社の場合に限定される必要はない。本実施形態の変形例として、例えばＳＯＨＯ（Small Office Home Office）である場合や自宅で文化教室（フラワーアレンジメント教室など）を開いている場合、自宅に友人が訪問してきた場合などであってもよい。このような場合であっても、本実施形態と同様の効果を得ることができる。
【符号の説明】
【００７７】
１（１１〜１８）  ドア開閉装置
２（２１〜２８）  入力装置
３  ドア開閉制御装置
４  記憶装置
５  制御装置
【図１】
0005771772.tif 000002
【図２】
0005771772.tif 000003
【図３】
0005771772.tif 000004
【図４】
0005771772.tif 000005
【図５】
0005771772.tif 000006
【図６】
0005771772.tif 000007
【図７】
0005771772.tif 000008